(57)【要約】【課題】 ガス発生源の機能や燃焼制御に制約を受けることなく、有害物質を効率よく低減すること。【解決手段】  排出するガスの組成および温度が変動するガス発生源１と、このガス発生源１の下流に設けられ、前記ガスの酸素，窒素酸化物および一酸化炭素の組成および温度をそれぞれ所定濃度比，所定温度に調整するガス性状調整手段２と、このガス性状調整手段２の下流に設けられ、一酸化炭素を酸化させる第一反応と窒素酸化物を一酸化炭素により還元させる第二反応とにより、一酸化炭素および窒素酸化物濃度を低減する触媒３とを備えたことを特徴とする。【選択図】    図１
2008114115.tif 000002
【特許請求の範囲】
【請求項１】
排出するガスの組成および温度が変動するガス発生源と、
このガス発生源の下流に設けられ、前記ガスの酸素，窒素酸化物および一酸化炭素の組成および温度をそれぞれ所定濃度比，所定温度に調整するガス性状調整手段と、
このガス性状調整手段の下流に設けられ、一酸化炭素を酸化させる第一反応と窒素酸化物を一酸化炭素により還元させる第二反応とにより、一酸化炭素および窒素酸化物濃度を低減する触媒とを備えたことを特徴とする有害物質低減システム。
【請求項２】
前記ガス性状調整手段は、前記ガス組成，前記ガス流量および前記ガス温度を検出するガス性状検出手段と、前記ガスの酸素，窒素酸化物および一酸化炭素の組成および温度を調整する調整器と、前記ガス性状検出手段の検出値に基づき前記調整器を制御して前記ガスの組成および温度をそれぞれ所定濃度比，所定温度に制御する制御器とを備えることを特徴とする請求項１に記載の有害物質低減システム。
【請求項３】
前記ガス性状調整手段は、前記ガスに含まれる一酸化炭素、窒素酸化物および酸素の各濃度比が下記の式（１）を満足するよう調整することを特徴とする請求項１または請求項２に記載の有害物質低減システム。
（［ＮＯx］＋２［Ｏ2］）／［ＣＯ］≦２．０      …（１）
（式（１）において、［ＣＯ］、［ＮＯx］および［Ｏ2］はそれぞれ一酸化炭素濃度、窒素酸化物濃度および酸素濃度を示し、［Ｏ2］＞０の条件を満たす。）
【請求項４】
前記触媒通過後のガスが排ガスボイラへ導かれて熱回収が行われることを特徴とする請求項１〜請求項３に記載の有害物質低減システム。
【発明の詳細な説明】
【技術分野】
【０００１】
この発明は、排ガスボイラなどのガス発生源から排出されるガス中の窒素酸化物および一酸化炭素を低減する有害物質低減システムに関する。
【背景技術】
【０００２】
この種の有害物質低減システムは、特許文献１にて知られている。この特許文献１のシステムは、一酸化炭素を酸化し、窒素酸化物を還元する触媒を用いて、焼却炉からの排出ガス中の一酸化炭素および窒素酸化物を低減するものである。そして、ガス発生源である焼却炉の燃焼を制御する，具体的には燃料過濃燃焼をさせて排気ガスのガス組成を調整するものである。
【０００３】
【特許文献１】特開２００３−２７５５４３号公報
【発明の開示】
【発明が解決しようとする課題】
【０００４】
前記特許文献１に記載の技術は、ガス発生源の燃焼状態を制御するものであるために、ガス発生源の本来の機能に制約を受けたり、触媒が必要とするガス性状に対して望ましい燃焼制御ができないという課題がある。
【０００５】
この発明が解決しようとする課題は、ガス発生源の機能や燃焼制御に制約を受けることなく、有害物質を効率よく低減することである。
【課題を解決するための手段】
【０００６】
この発明は、前記課題を解決するためになされたもので、請求項１に記載の発明は、排出するガスの組成および温度が変動するガス発生源と、このガス発生源の下流に設けられ、前記ガスの酸素，窒素酸化物および一酸化炭素の組成および温度をそれぞれ所定濃度比，所定温度に調整するガス性状調整手段と、このガス性状調整手段の下流に設けられ、一酸化炭素を酸化させる第一反応と窒素酸化物を一酸化炭素により還元させる第二反応とにより、一酸化炭素および窒素酸化物濃度を低減する触媒とを備えたことを特徴としている。
【０００７】
請求項２に記載の発明は、請求項１において、前記ガス性状調整手段は、前記ガス組成，前記ガス流量および前記ガス温度を検出するガス性状検出手段と、前記ガスの酸素，窒素酸化物および一酸化炭素の組成および温度を調整する調整器と、前記ガス性状検出手段の検出値に基づき前記調整器を制御して前記ガスの組成および温度をそれぞれ所定濃度比，所定温度に制御する制御器とを備えることを特徴としている。
【０００８】
請求項１および請求項２に記載の発明によれば、前記ガス発生源の機能や燃焼制御に制限を加えることなく、前記ガスの性状を制御でき、しかも前記触媒の機能を最大限発揮させるように前記ガスの性状を制御することが可能となり、有害物質を効果的に低減することができる。
【０００９】
請求項３に記載の発明は、請求項１または請求項２において、前記ガス性状調整手段は、前記ガスに含まれる一酸化炭素、窒素酸化物および酸素の濃度比が下記の式（１）を満足するよう調整することを特徴としている。
（［ＮＯx］＋２［Ｏ2］）／［ＣＯ］≦２．０      …（１）
（式（１）において、［ＣＯ］、［ＮＯx］および［Ｏ2］はそれぞれ一酸化炭素濃度、窒
素酸化物濃度および酸素濃度を示し、［Ｏ2］＞０の条件を満たす。）
【００１０】
請求項３に記載の発明によれば、請求項１または請求項２に記載の効果に加えて、前記触媒通過後のガス中の窒素酸化物濃度を実質的に零とし、一酸化炭素濃度を低減することができるという効果を奏する。
【００１１】
請求項４に記載の発明は、請求項１〜請求項３において、前記触媒通過後のガスが排ガスボイラへ導かれて熱回収が行われることを特徴としている。
【００１２】
請求項４に記載の発明によれば、請求項１〜請求項３に記載の効果に加えて、前記ガス性状調整手段および前記触媒にて発生した熱を前記排ガスボイラにて回収できるので、省エネルギーのシステムを提供できるという効果を奏する。
【発明の効果】
【００１３】
この発明によれば、前記ガス発生源の機能や燃焼制御に制限を加えることなく、有害物質を効果的に低減することができる。
【発明を実施するための最良の形態】
【００１４】
この発明の実施の形態を説明する前に、本願において使用する用語について説明する。ガスは、燃焼反応中（燃焼過程）のガスと燃焼反応が完結したガスとを含み、燃焼ガスと称することができる。そして、燃焼反応中ガスは燃焼反応中のガスを意味し、燃焼完結ガスは燃焼反応が完結したガスを意味し、本願では排ガスと称する。また、有害物質とは、少なくとも窒素酸化物および一酸化炭素を含む概念である。
【００１５】
つぎに、この発明の実施の形態について説明する。この発明は、特に、ディーゼルエンジンなどのガス発生源から排出されるガス中に含まれる窒素酸化物および一酸化炭素を低減する有害物質低減システムに好適に実施される。
【００１６】
この発明の実施の形態は、排出するガスの組成および温度が変動するガス発生源と、このガス発生源の下流に設けられ、前記ガスの酸素，窒素酸化物および一酸化炭素の組成および温度をそれぞれ所定濃度比，所定温度に調整するガス性状調整手段と、このガス性状調整手段の下流に設けられ、一酸化炭素を酸化させる第一反応と窒素酸化物を一酸化炭素により還元させる第二反応とにより、一酸化炭素および窒素酸化物濃度を低減する触媒とを備えたことを特徴とする有害物質処理システムである。
【００１７】
この発明の実施の形態においては、前記ガス発生源からガスが排出される。このガス中の酸素，窒素酸化物および一酸化炭素の組成および温度は、前記ガス発生源の負荷の変動などにより変動するが、前記ガス性状調整手段により、前記組成を所定濃度比に調整し、前記温度を所定温度に調整する。この調整により、前記触媒は、高い効率で窒素酸化物を還元し、一酸化炭素を酸化する。その結果、前記触媒通過後のガス中の窒素酸化物濃度を５ppm以下の零に近い値に低減することが可能となる。また、前記触媒通過後のガス中の一酸化炭素濃度を低減することができる。
【００１８】
ここで、この発明の実施の形態の構成要素を説明する。前記ガス発生源は、好ましくは、排出するガスの酸素，窒素酸化物および一酸化炭素の組成および温度が変動する装置，すなわち発電装置のためのガスタービン，ディーゼルエンジン，ガスエンジンなどとするが、これに限定されない。たとえば、前記ガス発生源をバーナ有するボイラなどの燃焼装置，焼却炉などとすることができる。なお、前記ガス発生源から排出されるガス中には、通常、酸素，一酸化炭素を含むが、仮に含まないガス発生源もこの実施の形態に含まれる。
【００１９】
前記ガス性状調整手段は、好ましくは、前記ガスの組成および温度を検出して、前記ガス発生源からのガスに含まれる一酸化炭素、窒素酸化物および酸素の濃度比が下記の式（１）を満足するように調整するとともに、前記ガスの温度を所定温度に調整するように構成される。
（［ＮＯx］＋２［Ｏ2］）／［ＣＯ］≦２．０      …（１）
（式（１）において、［ＣＯ］、［ＮＯx］および［Ｏ2］はそれぞれ一酸化炭素濃度、窒素酸化物濃度および酸素濃度を示し、［Ｏ2］＞０の条件を満たす。）
【００２０】
このガス性状調整手段は、前記ガス発生源から排出されるガスの組成および温度を検出するガス性状検出手段と、前記ガスの一酸化炭素、窒素酸化物および酸素の濃度比および温度を調整する調整器と、前記ガス性状検出手段による検出値に基づき、前記調整器を制御して、前記濃度比が前記式（１）を満たし、かつ前記温度が所定温度となるように制御する制御器とを含んで構成されている。
【００２１】
前記ガス性状検出手段は、ガス組成の調整ための、酸素濃度センサ，一酸化炭素センサ，窒素酸化物センサを含む。前記窒素酸化物センサは、窒素酸化物濃度が一酸化炭素および酸素濃度と比較して桁数が低い場合は、これを省略することができる。これらのセンサは、公知のセンサを用いることができる。
【００２２】
また、ガス温度の調整のための、前記ガス性状検出手段は、前記ガス発生源からの単位時間当たりのガス量（風量）を検出する流量センサと、ガス温度センサとを含んで構成される。これらのセンサは、公知のセンサを用いることができる。
【００２３】
このガス性状検出手段は、好ましくは、前記ガス発生源および前記調整器の間と前記調整器および前記触媒の間との二箇所に設けるが、前記ガス発生源および前記調整器の間だけとすることができる。また、この検出手段を前記触媒の下流側に設け、窒素酸化物濃度，一酸化炭素濃度および温度の設定値を定め、これらの設定値となるように、前記調整器を制御することができる。この場合、制御の応答遅れを考慮した制御とする。
【００２４】
前記調整器は、一酸化炭素、窒素酸化物および酸素の濃度比および温度を調整する機能を有する。前記濃度比の調整は、一酸化炭素、窒素酸化物および酸素の濃度比を調整するが、好ましくは、一酸化炭素と酸素の濃度比を調整することによって行う。特に、前記調整器に流入するガス中の一酸化炭素および酸素濃度に対する窒素酸化物濃度が１桁以上低い場合、一酸化炭素と酸素の二者の濃度比調整は、容易に行える。この好ましい濃度比の調整と温度の調整は、不完全燃焼により一酸化炭素濃度を上昇させ（一酸化炭素濃度調整）、高Ｏ2燃焼によりＯ2濃度を上昇させる（酸素濃度調整）ことができるバーナにより実現可能である。
【００２５】
この調整器と濃度調整機能と温度調整機能とをそれぞれ別の手段により行うように構成することができる。たとえば、温度調整機能を電気ヒータなどの加熱機構により行い、濃度調整機能を一酸化炭素ボンベなどの一酸化炭素供給器と、酸素ボンベなどの酸素供給手段とにより行うように構成することができる。また、前記ガス発生源からの排出ガスの温度が安定していて、前記温度調整不要な場合は、前記調整器の温度調整機能を省略することができる。
【００２６】
前記触媒は、一酸化炭素を酸化させる第一反応と窒素酸化物を一酸化炭素により還元させる第二反応とにより、一酸化炭素および窒素酸化物濃度を低減する機能を有する触媒で、通気性を有する基材に触媒活性物質を塗布した構成とする。前記基材としては、ステンレスなどの金属，セラミックが用いられ、ガスとの接触面積を広くするような表面処理が
施される。触媒活性物質としては、一般的に白金が用いられるが、実施に応じて、白金に代表される貴金属（Ａｇ，Ａｕ，Ｒｈ，Ｒｕ，Ｐｔ，Ｐｄ）または金属酸化物を用いることができる。
【００２７】
この触媒による有害物質の低減作用は、つぎのようにして行われると考えられる。前記触媒では、主反応として、一酸化炭素を酸化させる第一反応と窒素酸化物を一酸化炭素により還元させる第二反応とが生じている。そして、前記触媒における反応（触媒反応）おいて、酸素存在下では、前記第一反応が前記第二反応よりも優位であり、前記第一反応に基づき一酸化炭素は、酸素により消費されて、濃度調整された後、前記第二反応により窒素酸化物を還元する。この説明は、簡略化したものである。実際は、前記第一反応は、前記第二反応と競合反応であるが、一酸化炭素と酸素との反応が酸素存在下において前記第二反応と比較し見かけ上速く起こるため、第一段階で一酸化炭素（第一反応）が行われ、第二段階で窒素酸化物が還元（第二反応）されると考えられる。
【００２８】
要するに、前記触媒において、酸素の存在下では、ＣＯ＋１／２Ｏ2→ＣＯ2なる前記第一反応により、酸素が消費され、残りのＣＯを用いて、２ＣＯ＋２ＮＯ→Ｎ2＋２ＣＯ2なる前記第二反応により、窒素酸化物を還元して、排出窒素酸化物濃度を低減する。
【００２９】
ここで、前記式（１）における［ＮＯx］は、一酸化窒素濃度：［ＮＯ］と二酸化窒素濃度：［ＮＯ2］との合計濃度である。前記の反応式の説明において、ＮＯxを用いることなく、ＮＯを用いているのは、高温度場での生成窒素酸化物の組成は、主成分がＮＯであり、ＮＯ2は、数％に過ぎないので、近似的に説明することができるからである。ＮＯ2は、存在してもＮＯと同様にＣＯにより還元されると考えられる。
【００３０】
前記（［ＮＯx］＋２［Ｏ2］）／［ＣＯ］の値（濃度比の値）１の場合は、理論上は、前記触媒から排出される酸素濃度，窒素酸化物濃度および一酸化炭素濃度を零とすることができる。しかしながら、実験上は、僅かに一酸化炭素が排出されることが分かっている。そして、（［ＮＯx］＋２［Ｏ2］）／［ＣＯ］＝１は、実験結果に基づき、前記第一反応および第二反応から理論的に導き出したものである。
【００３１】
前記濃度比の値が１よりも小さい場合は、一酸化炭素の濃度が前記窒素酸化物の還元に必要な濃度以上に存在するので、排出酸素濃度が零で、前記触媒通過後のガス中に一酸化炭素が残留する。この残留一酸化炭素を酸化する酸化手段を更に設けることが好ましい。この酸化手段は、前記触媒と別個の触媒を設け、酸素を投入して一酸化炭素を酸化するように構成することができる。
【００３２】
この実施の形態における式（１）の濃度比の値２．０は、実験的に得られた値であるが、つぎの理由によると考えられる。前記触媒中で生じている反応は、完全に解明されておらず、前記第一反応および前記第二反応の主反応以外に、副反応が生じていることが考えられる。この副反応の一つとして、一酸化炭素濃度が高い場合に、蒸気と一酸化炭素との反応により水素が生じ、この水素により窒素酸化物および酸素が還元される反応が考えられる。
【００３３】
このように、前記濃度比の値は、前記触媒中の主反応以外の反応により、若干の変動を生ずることが考えられる。したがって、生じていることが確実な前記主反応をベースに考えると、前記ガス性状調整手段の機能は、つぎのように表現することができる。
【００３４】
すなわち、前記ガス性状調整手段は、前記ガスに含まれる一酸化炭素，窒素酸化物および酸素の各濃度を所定の関係に調節する機能を有し、前記触媒の一次側の一酸化炭素濃度が前記第一反応により前記触媒内で低減される一酸化炭素濃度と前記第二反応により前記
触媒内で低減される一酸化炭素濃度とを加えた値とほぼ等しいか、それ以上とする。
【００３５】
この表現においては、前記主反応のみに注目して、「前記触媒の一次側の一酸化炭素濃度が前記第一反応により前記触媒内で低減される一酸化炭素濃度と前記第二反応により前記触媒内で低減される一酸化炭素濃度とを加えた値とほぼ等しいか、それ以上とする」と表現している。したがって、仮に前記式（１）において、副反応により濃度比の値が若干変動して前記式（１）を満たさない実施の形態もこの表現によってこの発明実施の形態に包含されるものである。
【００３６】
また、この実施の形態においては、前記触媒を通過し、有害物質が低減されたガスは、好ましくは熱回収手段としての、排ガスボイラへ供給される。この排ガスボイラとは、前記触媒通過後のガスから熱を回収する水管などの熱交換器を少なくとも有する。そして、この排ガスボイラは、好ましくは、前記ガスを前記熱交換器へ強制的に流す送風機，回収熱量では必要とする熱量が得られない場合に燃焼させる追い焚きバーナなどを備えることができる。前記熱回収手段は、排ガスボイラに替えてエコノマイザーとすることができる。
【００３７】
さらに、この実施の形態においては、前記ガス発生源，前記排ガスボイラ，前記ガス性状調整手段，前記触媒，前記エコノマイザーの順に配置したり、前記ガス発生源，前記ガス性状調整手段，前記排ガスボイラ，前記触媒，前記エコノマイザーの順に配置したりすることができる。この場合、前記エコノマイザーは、必要に応じて省略することができる。
【実施例１】
【００３８】
ついで、この発明の有害物質低減システムの実施例１を図面に従い説明する。図１は、同実施例１の有害物質低減システムの概略構成図である。
【００３９】
この実施例１の有害物質低減システムは、排出するガスの組成および温度が変動する排ガス発生源としてのガスタービン１と、このガスタービン１の下流に設けられ、前記排ガスの酸素，窒素酸化物および一酸化炭素の組成および温度をそれぞれ所定濃度比，所定温度に調整するガス性状調整手段２と、このガス性状調整手段２の下流に設けられ、一酸化炭素を酸化させる第一反応と窒素酸化物を一酸化炭素により還元させる第二反応とにより、一酸化炭素および窒素酸化物濃度を低減する触媒３と、この触媒３の下流側に設けられる排ガスボイラ４とを主要部として備える。以下に、この実施例１の構成要素を説明する。
【００４０】
前記ガスタービン１は、排出するガスの酸素，窒素酸化物および一酸化炭素の組成および温度が負荷により変動する。
【００４１】
前記ガス性状調整手段２は、前記ガスタービン１から排出される排ガスの組成および温度を検出する第一検出手段５と、前記触媒３流入前の排ガスの一酸化炭素、窒素酸化物および酸素の濃度比と温度とを調整するバーナ６と、このバーナ６により濃度および温度が調整された排ガスの組成および温度を検出する第二検出手段７と、前記第一検出手段５前記第二検出手段７による検出値に基づき、前記バーナ６の燃焼を制御して、前記濃度比が下記式（１）を満たし、前記排ガスの温度が前記触媒３が活性化する所定温度となるように制御する制御器８とを含んで構成されている。
【００４２】
より具体的には、前記触媒３流入前の排ガスに含まれる一酸化炭素、窒素酸化物および酸素の濃度比が下記の式（１）を満足するように調整するとともに、前記排ガスの温度を所定温度（この実施例１の触媒３の活性化温度である１５０℃〜５００℃）に調整するよ
うに構成される。
（［ＮＯx］＋２［Ｏ2］）／［ＣＯ］≦２．０      …（１）
（式（１）において、［ＣＯ］、［ＮＯx］および［Ｏ2］はそれぞれ一酸化炭素濃度、窒素酸化物濃度および酸素濃度を示し、［Ｏ2］＞０の条件を満たす。）
【００４３】
前記第一検出手段５および前記第二検出手段７は、それぞれガス組成の調整ための酸素濃度センサ，一酸化炭素センサと、ガス温度の調整のため流量センサ，ガス温度センサと（いずれも図示省略）を含んで構成される。
【００４４】
前記バーナ６は、前記排ガスの一酸化炭素および酸素の濃度比および温度を調整する機能を有する予混合式バーナである。このバーナ６による一酸化炭素および酸素の調整は、前記バーナ６を不完全燃焼させることにより一酸化炭素濃度を上昇させ、高Ｏ2燃焼によりＯ2濃度を上昇させるように構成されている。また、前記バーナ６の燃焼量を変えることで、前記ガスの温度を調整するように構成されている。
【００４５】
このバーナ６には、ガス燃料供給量調整手段としての燃料弁９と燃焼空気供給量調整手段としての回転数制御可能な送風機１０とが備えられ、前記制御器８により、前記燃料弁９と前記送風機１０の回転数を制御することで、前記濃度比および温度の調整が実現されるように構成されている。
【００４６】
前記制御器８による制御は、予め記憶したガス性状調整プログラムにより実現される。この調整プログラムは、前記第一検出手段５の第一検出値と前記濃度比の設定値（一例として、一酸化炭素濃度：４０００ppm、酸素濃度：２０００ppm）との差信号および前記第一検出器と所定温度との差信号に基づき、第一制御信号を前記燃料弁９および前記送風機１０へ送り、粗い調整を行い、前記第二検出手段７の第二検出値と前記濃度比の設定値との差信号および前記第二検出値と前記温度の設定値との差信号に基づき、第二制御信号を前記燃料弁９および前記送風機１０へ送り、微調制御を行うように構成している。すなわち、この制御は、前記バーナ６の上流側である前記第一検出手段５の検出値に基づき、前記バーナ６の燃焼を主制御し、前記バーナ６の下流側である前記第二検出手段７の検出値に基づき、前記主制御を補正する制御である。また、好ましくは、前記第二検出手段７を、前記第一検出手段６が故障した時などのバックアップ用のセンサとして機能させる。この場合、バックアップ用プログラムに基づき、前記バーナ６を制御するように構成する。
【００４７】
前記触媒３は、一酸化炭素を酸化させる第一反応と窒素酸化物を一酸化炭素により還元させる第二反応とにより、一酸化炭素および窒素酸化物濃度を低減する機能を有するＣＯ酸化触媒から構成され、通気性を有する基材に触媒活性物質を塗布した構成とする。この実施例１では、前記基材としては、ステンレスを用い、ガスとの接触面積を広くするような表面処理を施している。触媒活性物質としては、白金を用いている。
【００４８】
前記ガスタービン１と前記触媒３とは、第一ガス通路１１にて接続される。前記触媒３と前記排ガスボイラ４とは、第二ガス通路１２にて接続される。
【００４９】
以上の構成の実施例１の動作を説明する。まず、前記ガスタービン１が運転され、排ガスが排出される。このガスタービン１は、負荷変動などにより、前記排ガス中の酸素，窒素酸化物および一酸化炭素の組成および温度が変化する。今、高負荷運転時における前記排ガスの酸素，窒素酸化物および一酸化炭素の組成および温度をそれぞれ１９００ppm，１００ppm，２０００ppm，３００℃とする。この排ガス条件においては、前記式（１）の左辺を計算すると、１．９５となる。したがって、前記式（１）を満たし、かつ前記触媒３の設定温度を満たすので、前記排ガス性状調整手段２による調整は、不要である。
【００５０】
前記ガスタービン１の負荷変動などにより、酸素，窒素酸化物および一酸化炭素の組成および温度がそれぞれ３０００ppm，１００ppm，２０００ppm，１００℃になったとする。この排ガス条件においては、前記式（１）の左辺を計算すると、３．０５となる。前記式（１）を満たさず、かつ前記触媒３の設定温度を満たさないので、前記排ガス性状調整手段２による調整を行う。
【００５１】
この調整は、酸素濃度を減少して、一酸化炭素濃度を増加させ、かつガス温度が上昇して前記設定温度となるように、前記バーナ６の燃焼を制御する。酸素濃度を減少させるには、前記ガス発生源からのガス中の酸素を用いて、前記バーナ６を燃焼させる。一酸化炭素濃度を増加させるには、不完全燃焼させる。前記ガスの温度は、これらの組成調整に伴う前記バーナ６の燃焼により行う。これらの具体的な制御は、燃焼状態と酸素および一酸化炭素の濃度の変化特性を予め実験により求めておき、この変化特性に基づき行うことができる。
【００５２】
前記ガス性状調整手段２による調整がなされた排ガスは、前記触媒３へ流入して接触することで、有害物質低減作用を受ける、この触媒３では、主反応として、一酸化炭素を酸化させる第一反応と窒素酸化物を一酸化炭素により還元させる第二反応とが生じている。そして、前記第一反応に基づき一酸化炭素は、酸素により消費されて、濃度調整された後、前記第二反応により窒素酸化物を還元する。その結果、前記触媒３通過後の窒素酸化物濃度および一酸化炭素濃度を実質的に零とする。
【００５３】
前記触媒３により有害物質が低減された排ガスは、前記排ガスボイラ４にて熱回収が行われる。すなわち、前記バーナ６による燃焼熱と前記触媒３における酸化に伴い生成される熱が回収される。この排ガスボイラ４を通過後の排ガスは、温度が低く、有害物質を殆ど含まないガスとされる。
【００５４】
この実施例１によれば、窒素酸化物および一酸化炭素を殆ど含まない低公害であって、しかも無駄に熱を捨てない省エネルギーのシステムを提供することができる。
【実施例２】
【００５５】
ついで、この発明の実施例２を図２に従い説明する。図２は、本実施例２の有害物質低減システムの概略構成図である。以下の説明において、実施例１と同一の構成要素は、同じ符号を付して説明を省略する。
【００５６】
この実施例２において、前記実施例１と異なるのは、前記実施例１が第一検出手段５および前記第二検出手段６を用いて、前記濃度比と温度の調整を行っているのに対して、この実施例２では、前記第二検出手段７を用いることなく、前記第一検出手段５のみで制御している点である。
【００５７】
この実施例２の動作は、基本的には、前記実施例１と同様であるので、その説明を省略する。
【図面の簡単な説明】
【００５８】
【図１】この発明の実施例１の概略構成図である。
【図２】この発明の実施例２の概略構成図である。
【符号の説明】
【００５９】
１  ガス発生源
２  ガス性状調整手段
３  触媒
４  排ガスボイラ
５  第一検出手段（ガス性状検出手段）
６  バーナ（調整器）
７  第二検出手段（ガス性状検出手段）
８  制御器
【図１】
2008114115.tif 000003
【図２】
2008114115.tif 000004